Podtech/llm-jp-corpus-v4-ja_patent huggingface dataset:
(57)【要約】      （修正有）【課題】高速道路等片側２車線以上の幅の広い副線道路の並行走行時に、隣接車輌がいるにもかかわらず死角に入っているため気が付かず車線変更をしてくることを防止し、又、立体障害物のある狭い駐車場に入庫しやすくしたり、大きな駐車場内の白線車庫に昼夜を問わず誘導しやすくする。【解決手段】昼間は並走側車の確認が出来る様にミラーを垂直に外側に曲げ運転者の直横まで確認できる様にした。夜間は自車が側面を並走していることを側面他車に知らせる。確認してもらうことが出来やすくする様に側面灯を点灯し後続車がいなくとも自車の側面を映し出せる様にした。又、狭い立体障害物のある車庫や白線車庫に誘導しやすい様にした。【選択図】図８
0003133977.tif 000002
【実用新案登録請求の範囲】
【請求項１】
側面灯（図１）・自動車の側面に付けるバックミラーに車体側面の一部と車体側面の下方の地面を照射できるライトを内装組付けしたバックミラー。
【請求項２】
側面鏡（図５）・自動車の側面に付けるバックミラーの運転手から見た死角を少なくするためバックミラーの外側面の一部を外側に向かって垂直に真横が見える位まで折り曲げ、鏡の映像が切れることなく継ながって見える様にしたバックミラー。
【請求項３】
下側面鏡（図６）・自動車の側面に付けるバックミラーの運転手から見た下方側面の死角を少なくするため、下側面の一部をバックミラー取付位置の真下まで見える位に水平に折り曲げ鏡の映像が切れることなく継ながって側面下部を見える様にしたバックミラー。
【請求項４】
請求項２（図５・側面鏡）と請求項３（図６・下側面鏡）を組合せた図７のバックミラー。
【請求項５】
請求項１（図１・側面灯）と請求項３（図６・下側面鏡）を組合せた図８のバックミラー。
【請求項６】
請求項１（図１・側面灯）と請求項２（図５・側面鏡）を組合せた図９のバックミラー。
【請求項７】
請求項１（図１・側面灯）と請求項２（図５・側面鏡）と請求項３（図６・下側面鏡）を組合せた図１０のバックミラー。
【考案の詳細な説明】
【技術の分野】
【０００１】  本考案は自動車のバックミラーに関する。
【背景技術】
【０００２】  高速道路等片側２車線以上の幅の広い副線道路の並行走行時に隣接車輌がいるにもかかわらず死角に入っているため気が付かず車線変更をしてくる車がいる。危ないのでこれを少なくしたい。又立体障害物のある狭い駐車場に入庫しやすくしたり、大きな駐車場内の白線車庫に昼夜を問わず誘導しやすくしたい。
【考案の開示】
【考案が解決しようとする課題】
【０００３】  通常のバックミラーの死角を補うべく広角度の凸面鏡バックミラーは存在するが、通常のバックミラーと離れて取り付けるため映像が継がっておらず、瞬間的に位置の判断がしにくい、特に身体の疲れている時には見ない事も多く、慣れてない人はほとんど見ないで運転している事が多い。バックミラーを見たら瞬間的にしかも自然体で身近な危険の有無を確認したい。そのためには映像を切れない様に一体化すると非常に良くなる。又通常のバックミラーは車体の側面下部は夜間になるとほとんど見えない。白線車庫や立体障害物のある狭い駐車場にはとても入れにくい、これ等を解決したい。
【課題を解決するための手段】
【０００４】  本考案はバックミラーの外側と下部の一部位を外側及び下側に折り曲げ映像が切れずに広角に確認できる様にした。又車体の側面と車体側面より１．５ｍ位下方の地面を照射する側面照明灯を内装した。
【考案の効果】
【０００５】  本考案によって、右左折時に車体が少し曲がった時点でも後方から来る自動車、バイク、自転車、等の来るのが確認でき、停車又は徐行運転ができる。又高速道の様な片側２車線以上の広幅副走車線で並行走行時に隣接走行車の確認範囲を広くできる。又夜間に側面灯を点灯することにより並行走行中の隣接他車に自車の存在を知ってもらい危険な車線変更を少なくさせ互いに安全走行に努めることができる。更に夜間の白線枠駐車場、立体障害物のある狭い駐車場へ入りやすくする事ができる。
【考案を実施するための最良の形態】
【０００６】  側面灯の照射範囲（図４）はバックミラーを通して自車の側面部と側面より外側に１．５ｍ位、長さはミラーの取り付け下から後部バンパーの下まで照射できれば良く、側面灯の発光部分が自車内、他車内、から直接見えない様にする。【０００７】  鏡面部分に関しては図５・図６に示す様に外側確認部分は車輌に取り付けた状態で垂直に曲げ、下方確認部分は取り付けた状態で水平に曲げる。車種により取り付け位置が異なっても形状が異なっても映像の歪みをできるだけ少なくするため垂直、水平に折り曲げると良い。【０００８】  本考案のバックミラーは後付けも可能だが配線装着等技術を要するので、自動車メーカーの組立段階でワイヤーハーネスにバックミラーまでの電源コードを一本追加して組み込んでもらうことが一番良い。したがってメーカーの開発設計段階から組み込んでいかないとスムーズにいかない。
【産業上の利用可能性】
【０００９】  安全運転を願う自動車産業にとって一寸したことで事故を減し自然体で無意識の内に安心、安全な運転操作が出来るなら、自動車産業としても、又使用者にとっても喜ばしい事で多いに利用されると考える。
【図面の簡単な説明】
【００１０】
【図１】  バックミラーに内装した側面灯
【図２】  内装されたバックミラーを前後に中央より切断した断面図
【図３】  内装されたバックミラーを真下から見た図
【図４】  自動車の真上から見た側面灯の照射範囲図
【図５】  側面鏡部、斜め上から見た図
【図６】  下側面鏡部、斜め下から見た図
【図７】  側面鏡図（図５）と下側面鏡部（図６）との組合せ図
【図８】  側面灯（図１）と下側面鏡部（図６）との組合せ図
【図９】  側面灯（図１）と側面鏡部（図５）との組合せ図
【図１０】  側面灯（図１）と側面鏡（図５）と下側面鏡（図６）との組合せ図
【符号の説明】
【００１１】  １    側面灯を内装したバックミラー本体
２    従来のバックミラー鏡部
３    内装された側面灯の光反射部本体枠
４    発光体（電球等）
５    光放射口枠
６    側面灯放射枠カバー
７    側面鏡部
８    下側面鏡部
９    側面灯照射範囲
１０  バックミラー自動車取付側
【図１】
0003133977.tif 000003
【図２】
0003133977.tif 000004
【図３】
0003133977.tif 000005
【図４】
0003133977.tif 000006
【図５】
0003133977.tif 000007
【図６】
0003133977.tif 000008
【図７】
0003133977.tif 000009
【図８】
0003133977.tif 000010
【図９】
0003133977.tif 000011
【図１０】
0003133977.tif 000012
(57)【要約】      （修正有）【課題】夏期において墓の花台の花筒、及び水鉢に雨水が溜まり、そこに蚊が産卵することにより孵化し、蚊が無数に発生するため、この蚊発生公害を防止する。【解決手段】花台の花筒を花立てより抜き出し、花立ての側面に排水孔を設け、この排水孔に花筒を挿入れる。花立ての花筒挿入孔及び水鉢の底部を排水孔に連結せしめ、これ等に入る雨水を外に排出する。【選択図】図２
0003133978.tif 000002
【実用新案登録請求の範囲】
【請求項１】
墓花台の花立ての側面より花台内部に向け排水孔を設け、花立てに設けられたる花筒挿入孔の下端が排水孔に連結するよう成したることを特徴とする墓の花台の排水装置。
【請求項２】
請求項１記載の墓の花台の排水装置において、花立ての側面に設けられた排水孔に花筒を挿入することを特徴とする墓の花台の排水装置。
【請求項３】
請求項１記載の墓の花台の排水装置において、花台の上面に設けられた、水鉢の底部に水鉢排水孔を設け、該水鉢排水孔の下端を花立ての花筒挿入孔に連結して成ることを特徴とする墓の花台の排水装置。
【考案の詳細な説明】
【技術分野】
【０００１】  本考案は、墓に花を供えるための備具として、墓の前面に設置される花台の改良に関するものである。
【背景技術】
【０００２】  墓の種類は多種多様であり、近年の墓は花を供えないものも作られているが、我が国では旧来の花台を有する様式の墓が圧倒的に多い。
墓は全て屋外に設置されて居るため、夏期において花筒、及び水鉢に蚊が産卵し蚊が繁殖する、本考案は花台を改良することにより蚊の産卵を極力防止するものであるが、従来において、このような対策を講じた花台は全く存在して居ない。【０００３】
【特許文献】  該当するものは見当たらない。
【考案の開示】
【考案が解決しようとする課題】
【０００４】  墓は屋外に設置されているため、花を供える様式の墓は、夏期において花筒、及び水槽に蚊が産卵する、そのため蚊が大量に繁殖する、この花筒内、及び水鉢内の水量は僅かであるため、夏期にて好天が続けば短日にて蒸発し無水状態になり蚊は産卵不能になるが、降雨にて雨水が溜まると蚊は産卵し繁殖する、夏期は、このような状態を繰り返す事になり、蚊の発生にて墓地近辺は蚊にて迷惑、被害を受ける。
蚊の発生を、簡単、軽便に防止し得る墓が、保健、衛生上の見地にて近年は特に切望されている。
【課題を解決するための手段】
【０００５】  本考案は上記問題点を解決するためになされたものであって、花を供える様式の墓の前面に設置する花台を改良することにより蚊の繁殖を極力防止するものである。
墓に供えた花が、生鮮な状態時は花筒を移動させないが、夏期は気温が高いため花筒内の水は、短日にて蒸発し無水状態になる、そのため花の寿命は極めて短く枯れる、枯れた花を、その状態にて放置して置くと、雨水が花筒内に溜まり、蚊が産卵し繁殖する、更に花台には水鉢が作られており、この水鉢にも雨水が溜まると蚊が産卵し蚊の繁殖場となる。【０００６】  そこで花が枯れた場合は、花筒を花台より引き出し花筒を他の箇所に横にして置き雨水の溜まりを不能にする。
花台は石造であるため、花筒を抜出した場合に、その挿入孔に雨水が溜まる、その雨水を排出する手段が必要である、その排水手段として花台の側面に排水孔を設ける、この排水孔は不要になっている花筒を一時保管するための保管孔を兼ねる、この排水孔は花筒挿入孔の下端に連絡するように作成せしめ、花筒挿入孔に溜まる雨水を排出する。
花台の上面に作られた水鉢に溜まる雨水も排出する必要がある、そのため水鉢の底部に排水用の小孔を設ける、この排水用小孔の他端は花筒挿入孔に連結させ、そこに流入させる。
本案は上記のようにする事により、簡単、容易に墓にて発生する蚊の繁殖を防止するものである。
【考案の効果】
【０００７】  本考案は次に記載する効果を奏する、花を供え得る様式の墓において、墓の前面に設置される花台に装備された花筒、及び水鉢に従来は雨水が溜まるため、この中に蚊が産卵、孵化し、蚊が無数に発生して居り、環境衛生を著しく悪化させて居たが、本考案は、この蚊発生による弊害を防止することができ、社会生活面に大きく貢献する効果を発生する。花
【考案を実施するための最良の形態】
【０００８】  墓の前面に設置される花台の花立ての側面に排水と花筒保管を兼ねた排水孔を設け、花立ての花筒挿入孔底部と水鉢底部を、排水孔に連絡せしめた構成の墓の花台。
【実施例】
【０００９】  以下本考案を図面に基づき詳細に説明する、図１は本考案の墓の花台の排水装置の正面図にして、１は花台本体である、２は花立てであって、花台本体１の左右に設けられて居るのが通常であるが、片側のみにても良い事は勿論である。
花立て２の上面に花筒３が挿入されるため、花立て２の上面より下に向け花筒挿入孔５が設けられて居る。
花筒３内に入れられた花が枯れた場合に、その状態のまま放置すると花筒３内に雨水が溜まり、そこに蚊が産卵し孵化するため蚊が無数に繁殖する、この蚊発生による公害を防止するため、花筒３内の花が枯れると、速やかに花筒３を花立て２より抜き出す、この場合に花筒３の保管場所として、花立て２の側面に排水孔６を設ける、この排水孔６は花筒３の円筒部分が挿入可能な孔径にされており、花筒３を横向きにして差し入れる。
花筒３を抜き出すと、花筒挿入孔５内に雨水が溜まる事になる、その雨水を排出するため花筒挿入孔５の下端は排水孔６に連結させる。
排水孔６は雨水の排出孔と花筒３の保管孔を兼ねたものである。【００１０】  図２は本考案の墓の花台の排水装置の斜視図にして、花台本体１の上面に水鉢４が設けられている、この水鉢４内には、かなりの量の水を溜める事ができるため、蚊の繁殖場として、花筒３より各段に大きな働きをする。
水鉢４は本来、水を溜めるために作られたものであるが、その本来目的が許されない社会情勢に現今はなって来た、そこで水鉢４の底部に水鉢排水孔７を設けて排水する、このため水鉢４には水が無く、形態のみの飾り物になるが、時代の変化に墓も即応させる必要がある。
水鉢排水孔７の下端は花筒挿入孔５に接続されて居るため、水鉢４内の入った雨水は、水鉢排水孔７より花筒挿入孔５を経由して排水孔６に流れ入りて外部に放出される。
以上のように本考案によれば、墓に雨水を溜めないため、従来のように蚊は産卵できず蚊の発生を著しく低減させる事ができる。
本考案は、このような実施例に何等限定されるものでなく、考案の要旨を逸脱しない範囲において種々なる態様にて実施し得ることは勿論である。
【産業上利用の可能性】
【００１１】  近年は環境衛生を重視する、本考案は、その声に応えるためになされたものであり、簡単、容易に実施し得る構成であり、従来に比べ価格も殆ど変動しない。
従来の墓の花台を本考案の花台に置き換えする方法もあり、本考案は時代の要求に即応したるものなるため、実施の可能性は極めて高いものである。
【図面の簡単な説明】
【００１２】
【図１】は本考案の墓の花台の排水装置の正面図である。
【図２】は本考案の墓の花台の排水装置の斜視図である。
【符号の説明】
【００１３】１  花台本体
２  花立て
３  花筒
４  水鉢
５  花筒挿入孔
６  排水孔
７  水鉢排水孔
【図１】
0003133978.tif 000003
【図２】
0003133978.tif 000004
(57)【要約】【課題】    二枚重ねのスクリーンの中に植物や花の装飾を入れてバリエーションを限り無く可能にして、従来のスクリーンでは表現できなかった新しい立体的装飾効果を得ることが出来ることを提供する。【解決手段】    透視可能な布地二枚を重ね合わせて使用する二重スクリーンであって、上記二重の透視可能な薄い布地１で形成され、その中に透明な３の第三の台布に立体物をピン取り付け、６の棒を吊架した際、立体装飾スクリーンが意匠的にまとまりを形成した状態で表現できるように構成されていることを特徴とする。【選択図】    図１
0003133976.tif 000002
【実用新案登録請求の範囲】
【請求項１】
所望の色、柄などを施した布地二枚の間に第三の台布に花、植物などの装飾物を取り付けて使用する二重スクリーン であって、上記二重スクリーンの布地は透視可能な薄い布地で形成され、使用時に重ね合わせて吊架した際、第三の台布に施した立体物が、意匠的にまとまりを形成した状態で表現できるように構成されていることを特徴とする装飾スクリーン
。
【考案の詳細な説明】
【技術分野】
【０００１】
本考案は布地にドライフラワーや植物などを挟んだ立体的に見える装飾スクリーンに関するものである。
【背景技術】
【０００２】
室内装飾に立体装飾スクリーンをすることにより、透視を奪うことなく視線をさえぎるものである。
【考案の開示】
【考案が解決しようとする課題】
【０００３】
暖簾やパネルスクリーンが部屋の仕切りや目隠しをしていたものを、視線をさえぎりながら透視できることにより、狭い室内空間でも部屋が広く見えるようになるのである。
【０００４】
本考案は二重の透視な生地に第三の布台に装飾物をつけることにより、スクリーンに奥行きが生まれ、かつ吊り下げや壁に貼り付ける際の上部の棒状にも装飾効果を持たせる。また下には棒で風になびく布地を固定する。
【０００５】
上述のスクリーンは軽く、天井から吊り下げることも、壁際に張ることもできる。部屋の状況に合わせて二重スクリーンの長さをきめることができる。
【０００６】
第三の布台に止めた装飾物を二重の布地に挟み込みで固定し、上部は吊り下げ用の棒を入れる構造で筒状に縫製する、下部は透視スクリーン布地を安定させる重となる棒を入れる構造で筒状に縫製する。
【０００７】
以下、添付図面に従って一実施例を説明する。オーガンジーなど透視可能な適宣素材２の布地を左右に折り、中に４の装飾物を３のビニールなど透明布台に枢着したものを入れる。ここに上部と下部を筒状に縫製を行う。上部の筒には２の布巾より長い５の棒を入れる。この５の棒に左右適当な長さの紐テープを天井や壁にピンで留めるようにする。下の棒６は布地に筒状の縫製をおこない、適当な長さで錘となるようにする。
【０００８】
本考案の一実施例は上述の如き構成からなるものであるから、スクリーンとして吊り下げることはもちろん、壁につけることも、パネルに吊り下げることもできる。
【図面の簡単な説明】
【０００９】
【図１】本考案の立体装飾スクリーンの一実施例を示す正面図である。
【図２】本立体装飾スクリーンの横、立面図である。
【符号の説明】
【００１０】
１  スクリーン本体
２  布地
３  第３布台
４  装飾物
５  上部棒
６  下部棒
【図１】
0003133976.tif 000003
【図２】
0003133976.tif 000004
【手続補正書】
【提出日】平成19年6月1日(2007.6.1)
【手続補正１】
【補正対象書類名】実用新案登録請求の範囲
【補正対象項目名】全文
【補正方法】変更
【補正の内容】
【実用新案登録請求の範囲】
【請求項１】
透視可能な布地二枚の間に挟み込んだ第三の台布に取り付けた装飾物から成ることを特徴とする装飾スクリーン。
【手続補正２】
【補正対象書類名】明細書
【補正対象項目名】０００８
【補正方法】変更
【補正の内容】
【０００８】
本考案の一実施例は上述の如き構成からなるものであるから、スクリーンとして吊り下げることはもちろん、壁につけることも、パネルに吊り下げることもできる。なお、装飾物は花、植物、アートフラワー、押し花などをいう。
(57)【要約】      （修正有）【課題】雄ハタハタを有効利用するため、雄ハタハタの薫製を提供する。【解決手段】雄ハタハタ１を塩３、醤油などで味付けした後、薫製化する。【選択図】図１
0003133973.tif 000002
【実用新案登録請求の範囲】
【請求項１】
雄ハタハタを活用した薫製。
【請求項２】
塩漬けにした雄ハタハタの薫製の製造方法。
【請求項３】
醤油、みりん、砂糖、酢、日本酒を漬けた雄ハタハタの薫製の製造方法。
【考案の詳細な説明】
【技術分野】
【０００１】本考案は、雄ハタハタの有効活用と、ハタハタの薫製製造法に関するものである。
【背景技術】
【０００２】米と米麹を漬け床として使用するハタハタずしは秋田県の特産品であるが、特に雌ハタハタの中に含まれている卵（以下ブリコと称する）が入っているハタハタずしは、食する際に歯ごたえや風味も良く、雌ハタハタが入っているすしは、ブリコが入っていない雄ハタハタのすしよりも人気がある。【０００３】そのような事から、ハタハタずしの市販品や家庭で作るハタハタずしには、雌ハタハタが入っている割合が高く、ハタハタずしを作る際に、無用な雄ハタハタが捨てられてしまう事も多々ある。
【考案の開示】
【考案が解決しようとする課題】
【０００４】雄ハタハタを有効活用するため、ハタハタずし以外の食品への転用且つ、雌ハタハタでは出せない風味改善が必要である。
【課題を解決するための手段】
【０００５】雄ハタハタを塩、醤油などで味付けした後、薫製化する事で食味を良くし、手軽に食する事が出来る。
【考案の効果】
【０００６】雄ハタハタを薫製化させることによって、手軽に食する事が出来る上、お酒の肴としても重宝される。その上、薫製化した物を真空パックに詰める事で長期保存も可能であるので、お土産店での販売、更に創作料理の食材としても使用出来るので、居酒屋、小料理店などへの流通を拡大することが出来る。一方、雌ハタハタを薫製化すると、ブリコの内部まで加熱されず、半生状になって食中毒を起こす危険性があるので、雌ハタハタの薫製化は適さない為、雌ハタハタとの差別化も図れる。
【考案を実施するための最良の形態】
【実施例】
【０００７】雄ハタハタの薫製の製造方法について１つの実施例として説明する。ここでは、請求項２に記載している塩漬けにした雄ハタハタの薫製の製造方法（以下、塩漬け薫製と称する）と、請求項３に記載している醤油、みりん、砂糖、酢、日本酒を漬けた雄ハタハタの薫製の製造方法（以下、醤油等漬け薫製と称する）について説明する。【０００８】それぞれの薫製製造に取りかかる前に、雄ハタハタの滑りを取る為の手順を説明する。図１において、一定量の雄ハタハタ１をバケツ２に入れ、塩３を雄ハタハタ１の総重量に対して３％の割合でまんべんなくまぶす。その上に重し４を乗せた状態で１週間置く。【０００９】１週間経過後、重し４を取り除いて雄ハタハタ１を取り出した後、雄ハタハタ１の頭を取り、はらわたを取って血抜きをする。次にその雄ハタハタに付着している塩３を取るため、ざるに雄ハタハタを入れ、水で洗って塩３を除去する。以上で滑り取りについての説明を終了する。【００１０】次に塩漬け薫製の製造方法について、図２を用いて説明する。［０００９］項で準備した一定量の雄ハタハタ５をバケツ６に入れ、塩７を雄ハタハタ５の総重量に対して０．５％の割合でまんべんなくまぶした後、塩７が全体に行き渡るように手で揉んで、重しは乗せない状態で１日漬けておく。１日経過後、雄ハタハタ５を取り出して水洗いする。薫製方法については、後述する。【００１１】次に醤油等漬け薫製の製造方法ついて、図３を用いて説明する。［０００９］項で準備した一定量の雄ハタハタ５をバケツ８に入れ、雄ハタハタ５の総重量に対して、醤油９を１５％、みりん１０を１５％、砂糖１１を２５％、日本酒１２を１５％、酢１３を３％の割合で雄ハタハタ５にまんべんなくまぶした後、醤油等が全体に行き渡るように手で揉んで、重しは乗せない状態で１日漬けておく。１日経過後、雄ハタハタ５をざるに入れて醤油等のたれを切る。【００１２】次に薫製方法について図４及び図５を用いて説明する。図４は薫煙室全体の正面図である。図５は、薫煙室正面の断面図である。薫煙室１４には、出入り口扉１５が正面に１箇所ある。出入り口扉１５の上部には、空気穴１６がある。次に薫煙室１４の内部中央には、薪割りした桜の木１７があり、その上に加熱装置１８がある。その加熱装置１８を取り囲むように奥壁１９、左右壁２０に地上からある一定の高さで等間隔で上下３段になっているスノコ２１が設置されている。そのスノコ２１に［００１０］項で製造した塩漬け雄ハタハタ２２と［００１１］項で製造した醤油等漬け雄ハタハタ２３を置く。そして所要量の桜の木１７に火入れをした後、出入り口扉１５を閉めて、雄ハタハタ２２と２３を２日間燻す。以上で薫製製造は終了であるが、ここで、桜の木を薫煙の熱源として使用する理由として、薫製に香ばしさを持たせるためである。【００１３】薫製された雄ハタハタを真空パックにして、長期保存させる事も可能である。
【図面の簡単な説明】
【００１４】
【図１】雄ハタハタ滑り取り断面図
【図２】雄ハタハタ塩漬け断面図
【図３】雄ハタハタ醤油等漬け断面図
【図４】薫煙室全体の正面図
【図５】薫煙室正面の断面図
【符号の説明】
【００１５】  １  雄ハタハタ
２  バケツ
３  塩
４  重し
５  雄ハタハタ
６  バケツ
７  塩
８  バケツ
９  醤油
１０  みりん
１１  砂糖
１２  日本酒
１３  酢
１４  薫煙室
１５  出入り口扉
１６  空気穴
１７  桜の木
１８  加熱装置
１９  奥壁
２０  左右壁
２１  スノコ
２２  塩漬け雄ハタハタ
２３  醤油等漬け雄ハタハタ
【図１】
0003133973.tif 000003
【図２】
0003133973.tif 000004
【図３】
0003133973.tif 000005
【図４】
0003133973.tif 000006
【図５】
0003133973.tif 000007
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
雄ハタハタの薫製
【請求項２】
塩漬けにした雄ハタハタの薫製
【請求項３】
醤油、みりん、砂糖、酢、日本酒を漬けた雄ハタハタの薫製
(57)【要約】      （修正有）【課題】自転車は生活必需品なのだが身体の弱い者にとっては路面の凹凸による衝撃に対応が不充分なので、緩衝装置を創り出す。【解決手段】軽トラックのリーフスプリングをカッターで切断し平バネのまま自転車に取り付ける。バネ鋼素材を型取ってからヤキ入れすればさらに確実に良いものができる。【選択図】図２
0003133984.tif 000002
【実用新案登録請求の範囲】
【請求項１】
板バネ（図４−８）を後輪中心軸（図２−１）と自転車本体床フレーム（図２−７）との間に挿入し路面の凹凸から受ける衝撃を緩衝させる自転車。
【考案の詳細な説明】
【技術の分野】
【０００１】本考案は板バネによる緩衝装置付自転車に関する。
【背景技術】
【０００２】自転車により一般道を通行すると大小路の交又点や路面工事の跡等５ｃｍ前後の段差があちこちにある。頭、脊髄等軽い病を背負ってしまった人は気をつけているのだがとても気になり、衝撃を受けるとかなりの苦痛になる。これを緩らげたい。
【考案の開示】
【考案が解決しようとする課題】
【０００３】前後輪の衝撃波動を緩げる。
【課題を解決するための手段】
【０００４】後車輪の支点（図２−１）位置を前方（図２−７）へ変え板バネ（図４−８）を使って車軸の中心（図２−１）と継ぐことにより衝撃波動を板バネの応力を利用しながら受ける様にした。
【考案の効果】
【０００５】本考案によって前輪が凹面に落ちた時の衝撃は瞬間的には変わりなく受けるが一瞬遅れてくる反動は板バネ（図４−８）が受け若干ではあるが緩衝した。又凸面に上がった衝撃は支点（図２−７）を中心に持ち上げる様な波動が生ずるが板バネ（図４−８）が荷重を受け緩らげてくれた。更に後輪の受ける衝撃は凹凸面全て板バネ（図４−８）の応力範囲内でのひねり作用によって緩衝されとても良くなった。
【考案を実施するための最良の形態】
【０００６】本考案の自転車を利用する人は軽い人から重い人までいるので同じ板バネで対応するのは良くなく、軽量者（４０ｋｇ前後）、中量者（５０ｋｇ前後）、重量者（６０ｋｇ以上）の３段階位に分けて作り、取付形状を同じくしてバネに強弱の差を付け、利用者のニーズに合わせ選ぶ事ができる様な簡単な構造の板バネを使用すると良い。【０００７】現市場の自転車は小型軽量化指向になっているが、本考案の板バネ付き自転車は、緩衝指向でタイヤの空気量も多くすべきなのであまり小型化しない方が良い。
【産業上の利用可能性】
【０００８】若く健康な人には現市場の自転車が最良だが、本考案の自転車は高齢者や若干の病いを持ってしまった人達にはとても喜ばれると思うのでかなりの可能性がある、と考えられる。
【図面の簡単な説明】
【０００９】
【図１】  現行市販車の一例（実車写真）と骨格（本考案車と比較するため）
【図２】  本考案車を左から見た機能試車と骨格・後輪床フレーム（図１−２）と後輪サポートフレーム（図１−３）が短く堅牢になり、後車輪の中心（図２−１）と床フレームの先端（図２−７）の間に板バネ（図４−８）を組み込んだ
【図３】  本考案車を右側から見た機能試車と骨格（骨格内容は図２と同じ）
【図４】  本考案に採用した板バネの斜上から見た図
【図５】  本考案に採用した板バネの上から見た平面図
【図６】  本考案に採用した板バネの横から見た側面図
【符号の説明】
【００１０】    １．  後輪の中心支点
２．  後輪床フレーム
３．  後輪床サポートフレーム
４．  座席
５．  座席支柱
６．  駆動ギアー
７．  本考案車の後輪支点
８．  本考案車に取り付ける板バネ
９．  板バネの床フレーム側取付部
１０．  板バネの後輪軸側取付部
１１．  タイヤ
【図１】
0003133984.tif 000003
【図２】
0003133984.tif 000004
【図３】
0003133984.tif 000005
【図４】
0003133984.tif 000006
【図５】
0003133984.tif 000007
【図６】
0003133984.tif 000008
(57)【要約】      （修正有）【課題】ヘルメットに装着したライトがすべって脱落することを防ぐ。【解決手段】ヘルメットに帯状の突起を付ける事により、ライト固定用ゴムバンドがすべってヘルメットから脱落することを防ぐと共に、取り付け、取り外しが簡単で腕力も必要なく、高齢者から幼児まで誰の介助も受けずに脱着できる。【選択図】図１
0003133988.tif 000002
【実用新案登録請求の範囲】
【請求項１】
表面に帯状の突起を有するヘルメット
【考案の詳細な説明】
【技術分野】
【０００１】  本考案は、ライトをヘルメットに固定する方法に関するものである。【０００２】  従来から、ヘルメットについては様々なものが開発されているが、頭部を保護することが主目的であり、ヘルメットの上に更にライトを有する物をかぶせることは想定していない。
一部には、ヘルメット前部にライトを固定した物もあるが、これは特殊作業用として開発されたものであり一般には馴染まない。
【考案の開示】
【考案が解決しようとする課題】
【０００３】  しかし、従来のようなヘルメットでは表面が滑らかな上、頂部に向かってわんきょくしており、ライトを固定するためには大変な工夫が必要である。また、地震発生が間近と叫ばれている昨今。万が一、夜間に地震が発生した場合、懐中電灯を持ち、子供の手を引き、リュックサックを背負い避難しなければことを考察するに、手の自由は出来るだけ確保しなければならない。本考案はこの様な問題を解決することを課題とする。
【課題を解決するための手段】
【０００４】  この課題を解決するための請求項１の考案は、ヘルメット表面に帯状の突起をつける方法である。
【考案の効果】
【０００５】  本考案によりヘルメットの上からライトを固定する装置を有するものを被っても滑ることがなく簡単に固定出来、取り外しも容易である。
【考案を実施するための最良の形態】
【０００６】  図１は、突起を有するヘルメットの断面図である。同図に示すように、ヘルメット下部に帯状の突起をつけることによりライトを固定するバンドがヘルメットから滑って脱落することを防止する。【０００７】  図２は、突起を有するヘルメットの平面図である。ライトを装着する部分には突起を設けない【０００８】  尚、本実施形態では突起を帯状としたが、点線、破線状の突起でも良い。
【産業上の利用可能性】
【０００９】  本考案は、ヘルメット本来の頭部を保護する機能プラス、暗所で明かりが必要な場合、ヘルメットに即座にライトを取り付けることができ、且つ、ライトの脱落を防ぐ。
【図面の簡単な説明】
【００１０】
【図１】突起を有するヘルメットの正面図である。
【図２】突起を有するヘルメットの背面図である。
【図３】突起を有するヘルメットの右側面図である。
【図４】突起を有するヘルメットの左側面図である。
【図５】突起を有するヘルメットの断面図である。
【図６】突起を有するヘルメットの平面図である。
【図７】突起を有するヘルメットに固定装置を有するライトを装着した実施例の側面である。
【図８】突起を有するヘルメットに固定装置を有するライトを装着した実施例の平面である
【符号の説明】
【００１１】１    ヘルメット
２    突起
３    ライト固定装置（ゴムバンド）
４    ライト
【図１】
0003133988.tif 000003
【図２】
0003133988.tif 000004
【図３】
0003133988.tif 000005
【図４】
0003133988.tif 000006
【図５】
0003133988.tif 000007
【図６】
0003133988.tif 000008
【図７】
0003133988.tif 000009
【図８】
0003133988.tif 000010
(57)【要約】      （修正有）【課題】竹竿破損や怪我を防止し、安全に使用できる複合竿を提供する。【解決手段】本体１の先端に穂先４を挿入し、正常の状態で獲物を釣る。穂先先端付近は横板形６を有し獲物の小当たりの場合はそのままの形で釣り上げることが出来る。また、正常の状態で獲物の引きが強力の場合に穂先４が楕円形５を有し正常の状態から左右側に横向にすると、大きくしなやかに曲がる弾力性で糸にも負荷がかからないので獲物を釣り上げることが出来る。【選択図】図１
0003133982.tif 000002
【実用新案登録請求の範囲】
【請求項１】
竹を本体１とし、前記本体１に補助筒２を挿入し又前記本体１の先端に、後端側断面を楕円形５にし、先端付近の断面を横板形６にした穂先４を挿入できるようにして成り、しなやかに曲がる弾力性を有することを特徴とする複合竿。
【請求項２】
前記穂先４は他の釣り竿の本体の先端にも挿入可能となっている請求項１記載の複合竿。
【考案の詳細な説明】
【技術分野】
【０００１】  本考案は釣り具において、破損防止し、釣り現場において快適な環境を維持する技術に関わるものである。
【背景技術】
【０００２】  専門的に業としない釣りについては、獲物が釣れた時に竹竿は破損し又糸が切れ獲物が逃げる確立が高いので不安全な動作で行っている（図２）。【０００３】  また破損した所が突起が発生するので怪我の多発も生じ不安全な行動である。【０００４】  破損した時に慌てて手で糸を掴むと怪我の多発も生じていた。【０００５】  又竿のしなやかは弓なりの一定方向である。【０００６】  穂先の先端は丸形で硬い。
【考案の開示】
【考案が解決しようとする課題】
【０００７】  本考案は前記従来の技術で述べたような釣りに関する不利不便を解消し、諸々の不安全な動作を是正し、諸々の不安全な動作の取り扱いを解消させ、かつ釣り人の疲労も少なくすることを課題として成された。
【課題を解決するための手段】
【０００８】  本考案は以下の内容から成る
竹を本体１とし、前記本体１に補助筒２を挿入し又前記本体１の先端に、後端側断面を楕円形５にし、先端付近の断面を横板形６にした穂先４を挿入できるようにして成り、しなやかに曲がる弾力性を有することを特徴とする複合竿（図１）。【０００９】  穂先４は他の釣り竿の本体の先端にも挿入可能となっている複合竿（図１）。【００１０】  本体１に補助筒２を挿入できるようにし又穂先４は大小のしなやかに曲がるように設ける。【００１１】  前記本体に二重の構造を設ける。【００１２】  又獲物が掛った時に二重の構造で手に伝わる感度が大きい。【００１３】  又正常の動作の状態の時に獲物の小当たりが伝わった時の穂先４のしなやかに曲がるように設ける。【００１４】  前記穂先４は大小のしなやかに曲がることを設ける。【００１５】  又獲物の引きが強力の時に正常の動作の状態から左右側方向に横向にすると本体１又穂先４のしなやかに曲がる大きく弾力性を有することを設ける。
【考案の効果】破損したり怪我したりすることなく、且つ安全に素早く釣りができる。【００１６】  獲物の引きが敏速に伝わる。【００１７】  正常の状態でコヅいている時に穂先４が横板形の状態で小さな当たりでも敏速に合わせることが出来る。【００１８】  正常の状態で獲物の引きが大きい場合はそのまま合わせると自然に穂先４中央付近から先端にかけて左右側にしなやかに曲がることが出来る。【００１９】  正常の状態から獲物の引きがさらに大きい場合は本体１又穂先４を左右側に横向にすると手元付近から大きくしなやかに曲がる弾力性を有することが出来る。【００２０】  二重の構造で破損しない。【００２１】  獲物が釣れた時にしなやかに曲がる弾力性で糸に力が掛からない。【００２２】  獲物が増大する。【００２３】  身体の疲労が減少する。【００２４】  初心者でも安心又は気楽に出来る。
【考案を実施するための最良の形態】
【００２５】  本考案に係る複合竿図１に示すように本体１の先端に穂先４を挿入し、正常の状態で獲物を釣る。穂先先端付近は横板形６を有し獲物の小当たりの場合はそのままの形で釣り上げることが出来る。また正常の状態で獲物の引きが強力の場合に穂先４が楕円形５を有し正常の状態から左右側に横向にすると大きくしなやかに曲がる弾力性で糸にも負荷がかからないので獲物を釣り上げることが出来る。
【図面の簡単な説明】
【００２６】
【図１】  本考案に係る複合竿総体的側面図である。
【図２】  従来の竹竿と穂先の側面図である。
【符号の説明】
【００２７】  １    竹（本体）
２    補助筒
３ａ  挿入口
３ｂ  挿入棒
４    穂先
５    楕円形
６    横板形
７    肘当
８    リ−ル固定金物
９ａ  ガイド
９ｂ  ガイド
９ｃ  ガイド
９ｄ  ガイド
９ｅ  ガイド
１０    トップガイド
１１    節
【図１】
0003133982.tif 000003
【図２】
0003133982.tif 000004
(57)【要約】      （修正有）【課題】省エネルギーとクリーンな排出ガスを得る。【解決手段】小排気量のガソリンエンジンの燃焼と同時にＢエンジンを稼動させる。【選択図】図１
0003133948.tif 000002
【実用新案登録請求の範囲】
【請求項１】
Ａシリンダーと  Ｂシリンダーを連動させるエンジンであり，Ａシリンダーは最小の排気量のガソリンエンジン，Ｂシリンダーは大きなエンジンで、燃焼可能な燃料なら何でも使うことができて、しかも希薄なガスでも燃焼させることができ、アクセルペダルを放した瞬間開放弁が開きＢシリンダーにわ燃料を吸入せず空転させ，Ａシリンダーのみを回転させる事を特徴とする省エネルギーエンジン装置。
【考案の詳細な説明】
【技術分野】
【０００１】本考案は２個の並列したエンジンを同時に回転させるものである。
【考案の開示】
【考案が解決しようとする課題】
【０００２】２個のエンジンの１個を回転させ、アクセルペダルを踏むと２個共稼動する。
【課題を解決するための手段】
【０００３】本考案は、Ａエンジンの点火する瞬間に連動してＢエンジンも撚焼する。
【考案の効果】
【０００４】上述の様に希薄ガスを燃焼させることにより省エネルギーと空気を汚さない完全燃焼ガスを排出するものである。
【考案を実施する為の最良の形態】
【０００５】ＡＢ、両方のエンジンが同瞬時に爆発することである。
【実施例】
【０００６】上述の様に本考案の並列エンジンは、大きなシリンダーにわ点火装置は無くＡエンジンの点火より誘発させ燃焼するものであり、希薄ガスであっても容易に燃焼可能である。
【産業上の利用可能性】
【０００７】本考案のエンジンは、吸入ガスが希薄で燃焼させることにより、省エネルギーと同時に排出ガスは完全燃焼しクリーンなもので環境を害しない。
【図面の簡単な説明】
【０００８】
【図１】  アクセルペダルを踏んでいる状態を示す。
【図２】  アクセルペダルを放した状態を示す。
【符号の説明】
１  開放弁
２  Ｂエンジンの排気弁
３  Ｂエンジンの吸入弁
４  Ａエンジンの吸入弁
５  Ａエンジン排気弁
６  Ａエンジンのピストン６−ＡとＢエンジンのピストン６−Ｂ
７  Ａエンジン
８  Ｂエンジン
９  点火誘導穴の弁
【図１】
0003133948.tif 000003
【図２】
0003133948.tif 000004
【手続補正書】
【提出日】平成19年4月4日(2007.4.4)
【手続補正１】
【補正対象書類名】実用新案登録請求の範囲
【補正対象項目名】全文
【補正方法】変更
【補正の内容】
【実用新案登録請求の範囲】
【請求項１】
本考案のエンジンは小さいシリンダのエンジンと、点火プラグを設置されていない大きなシリンダーのエンジンを連結させた連動エンジンであり、アクセルペダルを放した瞬間に大きなエンジンの上部に設置された開放弁が開く構造になっており、それにより燃料は吸入されず大シリンダーのピストンは空回転し、小さいエンジンのみを回転させることを特徴とする省エネルギーエンジン装置。
【手続補正３】
【補正対象書類名】明細書
【補正対象項目名】０００８
【補正方法】変更
【補正の内容】
【０００８】
【図１】  アクセルペダルを踏んでいる状態を示す。
【図２】  アクセルペダルを放した状態を示す。
【符号の説明】
１  大きなシリンダーの開放弁
２  大シリンダーの排気弁
３  大シリンダーの吸入弁
４  小さなシリンダーの排気弁
５  小シィリンダーの吸入弁
６  小シリンダー大シリンダーの各ピストン
７  小エンジンのシリンダー
８  大エンジンのシリンダー
９  点火誘導穴の弁
１０点火誘導穴
Ａ  小ピストン
Ｂ  大ピストン
【手続補正４】
【補正対象書類名】図面
【補正対象項目名】全図
【補正方法】変更
【補正の内容】
【図１】
0003133948.tif 000005
【図２】
0003133948.tif 000006
(57)【要約】      （修正有）【課題】飾り用鉢にドライフラワーを植設し、装飾網を巻装し、和装帯を巻装し、さらに、飾り紐で巻回し、そのまま飾ることができ、不要になった和装用の帯がリサイクルできるだけでなく、そのまま飾ることができるのは勿論のこと、和装用の帯を使用することにより雅やかな「和」の空間を創出することもできるドライフラワーの提供。【解決手段】飾り用鉢にドライフラワーを生花風に植設し、飾り用鉢の上から装飾網を巻装し、さらにその上から和装帯で着物の着付け風に巻装し、飾り紐で巻回して雅やかな「和」の空間を創出する。【選択図】図１
0003133945.tif 000002
【実用新案登録請求の範囲】
【請求項１】
飾り用鉢に、ドライフラワーを植設し、装飾網を巻装し、和装帯を巻装、飾り紐で巻回することを特徴とするみきドライフラワー。
【考案の詳細な説明】
【技術分野】
【０００１】  本考案は、飾り用鉢にドライフラワーを生花風に植設し、飾り用鉢の上から装飾網を巻装し、さらにその上から和装帯で着物の着付け風に巻装し、飾り紐で巻回したみきドライフラワーに関するものである。
【背景技術】
【０００２】  ドライフラワーを単品または数本まとめて販売したり、透明ビニールあるいはセロハンで巻装し、リボン等で締着して販売していた。
【考案の開示】
【考案が解決しようとする課題】
【０００３】  ドライフラワーが、上述のような旧来の方法により贈られた場合、受け取った人は飾り付けのための容器が必要である。従って、ドライフラワーを購入した際、飾り用鉢にすでに植設されているので、受け取った人がわずらわしくないだけでなく、あたかも生花のような雰囲気が創出でき、さらに不要になった和装用の帯が再利用できてそのまま飾ることができることとなり、前述の欠点を解決しようとするものである。
【課題を解決するための手段】
【０００４】  本考案は、飾り用鉢にドライフラワーを植設し、装飾網を巻装し、和装帯を巻装し、さらに、飾り紐で巻回し、そのまま飾ることができるようにすることにより問題点を解決している。
【考案の効果】
【０００５】  上述のように、不要になった和装用の帯がリサイクルできるだけでなく、そのまま飾ることができるのは勿論のこと、和装用の帯を使用することにより雅やかな「和」の空間を創出することも期待できる。
【考案の実施するための最良の形態】
【０００６】  飾り用鉢にドライフラワーを植設し、あたかも生花のような雰囲気が創出され、飾り用鉢の上から装飾網を巻装することによりソフト感がかもし出される。また、和装帯で巻装し、飾り紐で巻回することにより雅やかな「和」の空間が表現される。
【実施例】
【０００７】  以下、添付図面に従って一実施例を説明する。１はドライフラワーであり生花を乾燥して成形されており、２は飾り用鉢で陶磁器が使用され１ドライフラワーの容器となる。３の装飾網は３ｍｍ〜１０ｍｍ程度の網目に加工されており、飾り用鉢の上に巻回された後に４の和装帯で巻装し、形を整えた後に直径６ｍｍ〜１５ｍｍの紅白の紐である５の飾り紐で巻回する。【０００８】  本考案の一実施例は上述の如き構成からなるものであるから、２の飾り用鉢は竹製、ビン等様々な素材を用いることができ、４の和装帯は新品は勿論、使い古された帯を再利用することができ、５の飾り紐も紅白だけでなく青白を使用してもよい。
【図面の簡単な説明】
【０００９】
【図１】  本考案の斜視図である。
【符号の説明】
【００１０】  １．ドライフラワー
２．飾り用鉢
３．装飾網
４．和装帯
５．飾り紐
【図１】
0003133945.tif 000003
【手続補正書】
【提出日】平成19年2月15日(2007.2.15)
【手続補正１】
【補正対象書類名】実用新案登録請求の範囲
【補正対象項目名】全文
【補正方法】変更
【補正の内容】
【実用新案登録請求の範囲】
【請求項１】
飾り用鉢に、ドライフラワーを植設し、装飾網を巻装し、和装帯を巻装、飾り紐で巻回することを特徴とするみきドライフラワー。
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
飾り用鉢に、ドライフラワーを植設し、装飾網を巻装し、和装帯を巻装、飾り紐で巻回することを特徴とする装飾ドライフラワー。
【手続補正３】
【補正対象書類名】明細書
【補正対象項目名】０００１
【補正方法】変更
【補正の内容】
【０００１】本考案は、飾り用鉢にドライフラワーを生花風に植設し、飾り用鉢の上から装飾網を巻装し、さらにその上から和装帯で着物の着付け風に巻装し、飾り紐で巻回した装飾ドライフラワーに関するものである。
(57)【要約】      （修正有）【課題】自動車エンジンの燃費向上のためのエコロジー燃費向上装置の提供。【解決手段】自動車エンジンの燃費向上のためにエンジンとガソリンタンクの中間に磁石と自然鉱石を配置したエコロジー燃費向上装置を取り付けることで燃費の大幅向上ができる。【選択図】図１
0003133950.tif 000002
【実用新案登録請求の範囲】
【請求項１】
ガソリン自動車エンジンのエコロジー燃費向上装置で、装置内部に磁石を入れその中心に自然鉱石が配置された構造を持った、エコロジー燃費向上装置。
【請求項２】
ディーゼル自動車エンジンのエコロジー燃費向上装置で、装置内部に磁石を入れその中心に自然鉱石が配置された特徴を持った、エコロジー燃費向上装置。
【請求項３】
植物エナジー用自動車エンジンの燃費向上装置で、装置内部に磁石と中心に自然鉱石を配置された構造を有するエコロジー燃費向上装置。
【考案の詳細な説明】
【技術分野】
【０００１】自動車の燃費を向上させるための装置。
【背景技術】
【０００２】自動車のエンジン自体の構造を様々に設計して燃費を向上させるようにしている。
【考案が解決しようとする課題】
【０００３】自動車の燃費を大幅に向上させる装置。
【考案が解決しようとする手段】
【０００４】自動車の燃費を向上させるために、自動車エンジン自体ではなくガソリンをエコロジー燃費向上装置内を通過することで、燃費を大幅に向上させる。
【考案実施の形態】
【０００５】ガソリンタンクと自動車エンジンとの間にエコロジー燃費向上装置を取り付ける。エコロジー燃費向上装置の中心部に自然鉱石が入れてあり、その外側を磁石が取り囲んでいて、この装置内をガソリンが通過することで、燃費が大幅に向上する。
【実施例】
【０００６】以下は添付図により実施例を説明する。
図１はエコロジー燃費向上装置の断面図である。
１はエコロジー燃費向上装置本体で内部に２の磁石が入れてあり、その中心に３の自然鉱石が入っている。４のガソリン入口より内部を通過して５のガソリン出口よりエンジンに到達する。
【考案の効果】
【０００７】本考案はエコロジー燃費向上装置内の磁石と自然鉱石の組み合わせ構造の内部をガソリンが通過することで、ガソリン自体が完全燃焼できる。
【図面の簡単な説明】
【０００８】
【図１】エコロジー燃費向上装置の断面図である。
【符号の説明】
【０００９】１      エコロジー燃費向上装置本体
２      磁石
３      自然鉱石
４      ガソリン入口
５      ガソリン出口
【図１】
0003133950.tif 000003
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
自動車の燃費を向上させる装置で、装置本体内壁の上部と下部全体に磁石が相対するように入れてあり、磁石と磁石の間には磁鉄鉱石が内蔵されており、自動車燃料がこの通路を通過する時燃料が反応現象を起こし、燃費向上ができる特徴を持った装置。
(57)【要約】      （修正有）【課題】撮影時、不必要な被写体を消す。【解決手段】半透明の材質の中心より打抜をするカメラ用フィルター。【選択図】図１
0003133944.tif 000002
【実用新案登録請求の範囲】
【考案の詳細な説明】
【０００１】今回は一番利用度の高い３５ｍｍカメラをモデルにしました。３５ｍｍその他、大型カメラを含め被写体がレンズの光点を中心にカメラ側の感光材（フイルム）等に写る訳ですが３５ｍｍを（例）にすると面積は２４×３６ｍｍ…大型カメラのフイルムサイズもそれぞれの大きさから成りたっている事は一般的な社会の常識です。
【０００２】そこで２４×３６ｍｍを方眼紙に平面図を書き、それに対角線を引くと中心点が光点になる。その光点より上下、左右に縦線と横線を引きフイルム外側より内部図面に縦と横の線を引き対角線と交わる縦、横の点…又同じ方法でそれより内側に２〜３ｍｍの同様な線を引く…外側と内側には当然長さの違いが出る。
【０００３】そこで、内側の縦と横の中心点を原点とし外側の線に何ミリかの斜線を引きますと（別紙図面のような△▽が出来ます）大型サイズも同様です。
【０００４】材質は硬めの部質（例）樹脂製、１〜２ｍｍの厚さ、色は薄目から〜ある程度濃いめが必要です、艶消しで半透明を使用、色はさまざま…
【０００５】加工方々はプレス式や型に流し込み式を、その他（形は別紙平面図に記載）△▽の△の部分を残し▽と角の部分をカットする。その部分は空洞になり入射光として被写体が感光面に写る。
【０００６】（平面図）図１．図２型は周辺ぼかし用に、図３型はこれから、ます々高齢者が増えいろ々な面で人物写真が必要な時、車椅子等の下側、左右をぼかした写真の撮影が出来ます、図４型は接写用レンズに使います。
【０００７】フィルター外観はネジ込みを採用、被せ式、バヨネット式等がありますがフィルターの前にフードを取付ける関係からもネジ込みがよい、尚フードは広角の利用を進めますフードで四隅がケラれる可能制がある為、又ネジ込みは工程上の面からも、コストの面からもよい。
【０００８】使用方法、アップで絞り込みは浅めで撮影するのが一番良いと思う。被写界深度の関係上絞り過ぎると波型の形が出る恐れあり、どうしても絞りたい時は絞りを階段式で何コマか撮影…レンズは標準より長い望遠レンズがよい。
【０００９】試作品による実写撮影。三脚にカメラを固定しフィルターなしと、フィルターを取付けた状態で撮影、ぼかしフィルターを使った場合、周囲の余分な所がボケ写す部分が強調されます。レンズニコンズーム３５ｍｍと１０５ｍｍで撮影…見本写真（裏側に撮影データ記入）
【００１０】２００６度写真映像用品年鑑総合カタログ参照（類似品確認のため）
0003133944.tif 000003
【手続補正書】
【提出日】平成19年4月13日(2007.4.13)
【手続補正１】
【補正対象書類名】実用新案登録請求の範囲
【補正対象項目名】全文
【補正方法】変更
【補正の内容】
【実用新案登録請求の範囲】
【請求項１】
フィルターの材質はプラシチック製で半透明の材質を使用しており半透明の樹脂のままでは被写体が感光面に写らない為、フィルターの中心を原点とし波形に打抜きをされたカメラ用フィルター。
【手続補正２】
【補正対象書類名】明細書
【補正対象項目名】全文
【補正方法】変更
【補正の内容】
【考案の詳細な説明】
【技術分野】
【０００１】現在のガラス製フィルターと違い、求める被写体のみ、写す事が出来ますので求める写真が一段と強調されます。（見本写真３枚添付）【０００２】今回は一番利用度の高い３５ｍｍカメラをモデルにしました。３５ｍｍその他、大型カメラを含め被写体がレンズの中心を光点にカメラ側の感光材（フィルム）等に写る訳ですが３５ｍｍを（例）にすると面積は２４×３６ｍｍ大型カメラのフィルムサイズもそれぞれの大きさから成りたっている事は一般的な社会の常識です。【０００３】そこで２４×３６ｍｍを方眼紙に平面図を書き、それに対角線を引くと中心点が光点になる。その光点より上下、左右に縦線と横線を引き、フィルムの外側の寸法より内側に縦と横の線を引き、対角線と交わる縦と横の点…又同じ方法でそれより内側に２〜３ｍｍの同様な線を引く…外側と内側には当然に長さの違いが出る。内側の縦と横の中心点を原点とし外側の線に何ミリかの斜線を引きますと平面図〔図１〕のような波形の［▲▽］が出来ます。【０００４】材質は硬めの樹脂製で１〜２ｍｍの厚さ、１ｍｍでもガラスと違い破損の心配がない。色は薄めからある程度の濃いめが必要、艶消しで半透明を使用、色はさまざま【０００５】加工方法は、プレス式か又は型に流し込み式を採用【０００６】フィルター外観はネジ込みを採用、被せ式やバヨネット式等がありますがフィルターの前にフードを取付ける関係からもネジ込みが良い。尚フードは広角の利用を進めます。一般用ですと四隅がケラれる可能制がある為、又ネジ込み式は工程上の面からも、コストの面からもよい。【０００７】使用方法はアップ撮影で、絞りは浅で、絞り過ぎると被写界深度の関係上波形の姿が出る恐れあり、どうしても絞りたい時は階段式で何コマか撮影…レンズは標準より長めの望遠レンズがよい。【０００８】試作品による実写撮影、三脚にカメラを固定し、一般的な撮影と、開発したフィルターを使用した状態で撮影、ぼかしフィルターを使用した場合周囲の余分な部分がボケ写す被写体が強調されます。レンズニコンズーム３５〜１０５ｍｍ使用…（見本写真３枚添付）【０００９】図面についての説明
円内の材質は半透明の硬質は樹脂を使用しています。円内の黒く塗り潰してある部分は波形に打抜く事により白い部分との境界線がボケ、自然な状態が出来ます。打抜かれた部分は空洞になりその部分より被写体が感光面に入射光として入ります。
立面図は材質の厚さが１〜２ｍｍのため描く事が出来ません。
【図面の簡単な説明】
【００１０】
【図１】平面図
【手続補正３】
【補正対象書類名】図面
【補正対象項目名】全図
【補正方法】変更
【補正の内容】
【図１】
0003133944.tif 000004